(57)【要約】【課題】  本発明は、母線系統における母線特性の変化に応じて簡易に整定値を算出することができる地絡過電圧継電器の整定値算出装置及び地絡過電圧継電器を整定する整定値を算出するプログラムを提供することを課題とする。【解決手段】  母線系統の電源電圧と、母線系統の角周波数と、母線系統が有する静電容量と、母線地絡時における複数の配電系統のそれぞれに流れる零相電流とからなる係数を含むパラメータに基づいて、地絡過電圧継電器を整定する整定値を算出する地絡過電圧継電器の整定値算出装置であって、パラメータを入力する入力部と、該入力部に入力されたパラメータに基づいて整定値を算出する整定値算出部と、該整定値算出部によって算出された整定値を出力する出力部とを含むことを特徴とする。【選択図】  図１
2014011923.tif 000002
【特許請求の範囲】
【請求項１】
母線系統の電源電圧と、母線系統の角周波数と、母線系統が有する静電容量と、母線地絡時における複数の配電系統のそれぞれに流れる零相電流とからなる係数を含むパラメータに基づいて、地絡過電圧継電器を整定する整定値を算出する地絡過電圧継電器の整定値算出装置であって、
前記パラメータを入力する入力部と、
該入力部に入力されたパラメータに基づいて整定値を算出する整定値算出部と、
該整定値算出部によって算出された整定値を出力する出力部と
を含むことを特徴とする地絡過電圧継電器の整定値算出装置。
【請求項２】
前記整定値は、母線系統における地絡事故時の零相電圧をＶ０、母線系統における地絡事故時の地絡抵抗をＲ、母線系統の電源電圧をＥ０、母線系統の角周波数をω、母線系統が有する静電容量をＣＡ、母線系統に接続される複数の配電系統の総数がｎである母線地絡時の複数の配電系統のそれぞれが有する対地静電容量をＣｉ（ｉ＝１，２，３，…，ｎ）で表した場合、以下の式
【数１】
2014011923.tif 000007
で規定される請求項１に記載の地絡過電圧継電器の整定値算出装置。
【請求項３】
母線系統の電源電圧と、母線系統の角周波数と、母線系統が有する静電容量と、母線地絡時における複数の配電系統のそれぞれに流れる零相電流とからなる係数を含むパラメータに基づいて地絡過電圧継電器を整定する整定値を算出するプログラムであって、
コンピュータを、
前記パラメータを入力する入力部、
該入力されたパラメータによって整定値を算出する整定値算出部、及び、
該整定値算出部により算出された整定値を出力する出力部
として機能させることを特徴とする地絡過電圧継電器を整定する整定値を算出するプログラム。
【請求項４】
前記整定値は、母線系統における地絡事故時の零相電圧をＶ０、母線系統における地絡事故時の地絡抵抗をＲ、母線系統の電源電圧をＥ０、母線系統の角周波数をω、母線系統が有する静電容量をＣＡ、母線系統に接続される複数の配電系統の総数がｎである母線地絡時の複数の配電系統のそれぞれが有する対地静電容量をＣｉ（ｉ＝１，２，３，…，ｎ）で表した場合、以下の式
【数２】
2014011923.tif 000008
で規定される請求項３に記載の地絡過電圧継電器を整定する整定値を算出するプログラム。
【発明の詳細な説明】
【技術分野】
【０００１】
本発明は、母線系統において発生する地絡を検出するために設けられる地絡過電圧継電器の整定値算出装置及び地絡過電圧継電器を整定する整定値を算出するプログラムに関する。
【背景技術】
【０００２】
電力系統には、母線系統における地絡保護システムとして、各配電系統に設けられる地絡過電圧継電器によって地絡を検出し、母線系統から配電系統を切り離す設備保護システムが設けられている（特許文献１参照）。このシステムで用いられる地絡過電圧継電器には、母線系統が許容可能な零相電圧が整定値として整定されている。地絡時に検出された零相電圧Ｖ０がこの整定値以上であれば、地絡過電圧が発生していると判定する。具体的には、地絡過電圧は、零相電圧Ｖ０と接地抵抗値Ｒ０との関係で示される母線特性に基づいて接地抵抗値Ｒ０を推定し、その接地抵抗値Ｒ０に基づいて地絡過電圧を判定する。そして、地絡過電圧継電器が地絡過電圧を検出すると、母線系統を配電系統から切り離すトリップ信号を発信する。
【０００３】
しかし、母線系統に接続される配電系統が変更されると、この母線特性が変化する。そのため、この変化後の母線特性に従って、地絡過電圧継電器に設定する整定値も変更しなければ、正確な接地抵抗値Ｒ０を推定することができない。この変化後の母線特性は、人工地絡試験を行うことにより算出しなければならず、大変煩雑なものであった。
【先行技術文献】
【特許文献】
【０００４】
【特許文献１】特開２００７−３１８８６２号公報
【発明の概要】
【発明が解決しようとする課題】
【０００５】
よって、本発明は、かかる事情に鑑み、母線系統における母線特性の変化に応じて簡易に整定値を算出することができる地絡過電圧継電器の整定値算出装置及び地絡過電圧継電器を整定する整定値を算出するプログラムを提供することを課題とする。
【課題を解決するための手段】
【０００６】
本発明に係る地絡過電圧継電器の整定値算出装置は、母線系統の電源電圧と、母線系統の角周波数と、母線系統が有する静電容量と、母線地絡時における複数の配電系統のそれぞれに流れる零相電流とからなる係数を含むパラメータに基づいて、地絡過電圧継電器を整定する整定値を算出する地絡過電圧継電器の整定値算出装置であって、パラメータを入力する入力部と、該入力部に入力されたパラメータに基づいて整定値を算出する整定値算出部と、該整定値算出部によって算出された整定値を出力する出力部とを含むことを特徴とする。
【０００７】
かかる構成によれば、母線系統における母線特性の変化に応じて、母線系統及び複数の配電系統から求められる各種パラメータに基づいて整定値が算出されるため、人工地絡試験を行うことなく、地絡過電圧継電器の整定値を整定し直すことができる。
【０００８】
また、本発明によれば、整定値は、母線系統における地絡事故時の零相電圧をＶ０、母線系統における地絡事故時の地絡抵抗をＲ、母線系統の電源電圧をＥ０、母線系統の角周波数をω、母線系統が有する静電容量をＣＡ、母線系統に接続される複数の配電系統の総数がｎである母線地絡時の複数の配電系統のそれぞれが有する対地静電容量をＣｉ（ｉ＝１，２，３，…，ｎ）で表した場合、以下の式
【数１】
2014011923.tif 000003
で規定されることが好ましい。
【０００９】
かかる構成によれば、各種パラメータに基づいて整定値が一意的に算出され、地絡過電圧継電器の整定値を簡易に整定できる。
【００１０】
本発明に係る地絡過電圧継電器を整定する整定値を算出するプログラムは、母線系統の電源電圧と、母線系統の角周波数と、母線系統が有する静電容量と、母線地絡時における複数の配電系統のそれぞれに流れる零相電流とからなる係数を含むパラメータに基づいて地絡過電圧継電器を整定する整定値を算出するプログラムであって、コンピュータを、パラメータを入力する入力部、該入力されたパラメータによって整定値を算出する整定値算出部、及び、該整定値算出部により算出された整定値を出力する出力部として機能させることを特徴とする。
【００１１】
かかる構成によれば、母線系統における母線特性の変化に応じて、母線系統及び複数の配電系統から求められる各種パラメータに基づいて整定値が算出されるため、人工地絡試験を行うことなく、地絡過電圧継電器の整定値を整定し直すことができる。
【００１２】
また、本発明によれば、整定値は、母線系統における地絡事故時の零相電圧をＶ０、母線系統における地絡事故時の地絡抵抗をＲ、母線系統の電源電圧をＥ０、母線系統の角周波数をω、母線系統が有する静電容量をＣＡ、母線系統に接続される複数の配電系統の総数がｎである母線地絡時の複数の配電系統のそれぞれが有する対地静電容量をＣｉ（ｉ＝１，２，３，…，ｎ）で表した場合、以下の式
【数２】
2014011923.tif 000004
で規定されることが好ましい。
【００１３】
かかる構成によれば、各種パラメータに基づいて整定値が一意的に算出され、地絡過電圧継電器の整定値を簡易に整定できる。
【発明の効果】
【００１４】
以上の如く、本発明に係る地絡過電圧継電器の整定値算出装置及び地絡過電圧継電器を整定する整定値を算出するプログラムによれば、母線系統における母線特性の変化に応じて簡易に整定値を算出することができるという優れた効果を奏する。
【図面の簡単な説明】
【００１５】
【図１】図１は、本発明の一実施形態に係る配電システムの全体回路図である。
【図２】図２は、同実施形態に係る地絡過電圧継電器の整定値算出装置の全体構成図である。
【図３】図３は、同実施形態に係る地絡過電圧継電器の整定値算出装置の制御に関するフローチャートである。
【図４】図４は、同実施形態に係る地絡過電圧継電器の整定値算出装置の制御に関するフローチャートである。
【図５】図５は、同実施形態に係る地絡過電圧継電器の整定値算出装置が算出した母線特性を示す図である。
【図６】図６は、同実施形態に係る地絡過電圧継電器の整定値算出装置が算出した母線特性を示す図である。
【発明を実施するための形態】
【００１６】
本発明の実施形態に係る配電システムについて、図１〜図６を参酌しつつ説明する。本配電システムは、図１に示すように、複数の配電系統Ｆ１〜Ｆ３と、該複数の配電系統Ｆ１〜Ｆ３が接続される母線系統Ｂとを備える。複数の配電系統Ｆ１〜Ｆ３のそれぞれには、遮断器ＣＢ，…が設けられており、各配電系統Ｆ１〜Ｆ３は、対地静電容量Ｃ１〜Ｃ３を有する。母線系統Ｂには、サージ電圧から母線系統Ｂを保護するためのサージアブソーバＣＡが設けられている。例えば、負荷への電力の供給ルートが切り換えられるなどして、複数の配電系統Ｆ１〜Ｆ３のいずれかが母線系統Ｂから切り離されると、この母線系統Ｂと並列に接続されるこれらの静電容量Ｃ１〜Ｃ３及びサージアブソーバＣＡの静電容量の合計値が変化し、母線特性が影響を受ける。
【００１７】
配電システムには、地絡の発生を検知して地絡している系統を他の系統から切り離す地絡保護システム１が設けられている。地絡保護システム１は、複数の配電系統Ｆ１〜Ｆ３のそれぞれの零相電流Ｉ01〜Ｉ03を検出するための零相変流器（ＺＣＴ）２，…と、各零相変流器２，…から出力される零相電流Ｉ01〜Ｉ03に基づき各配電系統Ｆ１〜Ｆ３における地絡電流の流れる向き（方向）を検出する地絡方向継電器（ＤＧ）３，…と、母線系統Ｂの電源電圧Ｅ０及び零相電圧Ｖ０を検出する接地用変圧器（ＧＰＴ）４と、地絡発生時の地絡過電圧を検出する地絡過電圧継電器（６４Ｖ１，６４Ｖ２）５，６と、地絡を起こした系統を順次遮断する地絡順序遮断器（１０Ｇ）７と、地絡過電圧継電器５，６の整定値を算出する整定値算出装置８と、該整定値算出装置８が算出した結果を表示する表示装置９とを備える。
【００１８】
次に、本実施形態に係る整定値算出装置８について、詳細に説明する。整定値算出装置８は、図２に示すように、各種パラメータを入力する入力部１０と、該入力部１０に入力されたパラメータに基づいて整定値を算出するＭＰＵ（プロセッサ）１１と、該ＭＰＵ１１によって算出された整定値を出力する出力部１２と、整定値を算出するためのプログラムが記憶されているＲＯＭ１３と、整定値を算出するためのデータを記憶するＲＡＭ１４及びバッファ１５と、表示装置９に出力結果などを表示する表示制御部１６と、整定値パネルから設定される整定値を記憶可能な整定値メモリ１７と、各装置間の信号の送受信を行うバス（伝送路）１８とを備える。
【００１９】
入力部１０は、接地用変圧器４により検出された地絡事故時の零相電圧Ｖ０の検出値及び母線系統Ｂの電源電圧Ｅ０の検出値と、零相変流器２により検出された地絡事故時の零相電流Ｉ01〜Ｉ03の検出値との入力を受け付ける入力変換器２０，…と、該入力変換器２０，…に入力された信号に含まれる高調波成分等の誤差要因を取り除くバンドパスフィルタ（以下、単に「ＢＰＦ」と略する）２１，…と、所定のサンプリング周波数でＢＰＦ２１，…から入力された信号をサンプリングして保持するサンプリングホールド回路（以下、単に「Ｓ／Ｈ」と略する）２２，…と、該Ｓ／Ｈ２２，…を切り換えて保持されている信号を取り出すマルチプレクサ回路（信号切換回路；以下、単に「ＭＰＸ」と略する）２３と、ＭＰＸ２３で取り出した信号（アナログ信号）をディジタル信号に変換するＡ／Ｄ変換器２４とを備える。
【００２０】
ＭＰＵ１１は、入力されたパラメータによって母線特性を特定する母線特性特定部３０と、該母線特性特定部３０により特定された母線特性から整定値を算出する整定値算出部３１とを備える。
【００２１】
母線特性特定部３０は、地絡事故時の零相電圧Ｖ０の検出値及び母線系統Ｂの電源電圧Ｅ０の検出値と、地絡事故時に流れる各配電系統Ｆ１〜Ｆ３の地絡電流Ｉ1〜Ｉ3における零相電流Ｉ01〜Ｉ03の検出値とから下記の式（１）により接地抵抗値Ｒ０を算出する。なお、母線特性特定部３０には、予めサージアブソーバＣＡの静電容量及び母線系統Ｂの角周波数ω[rad]が設定されているものとする。また、母線系統ＢにサージアブソーバＣＡが無い場合は、静電容量０［Ｆ］として計算する。
【数３】
2014011923.tif 000005
【００２２】
母線特性特定部３０は、算出された接地抵抗値Ｒ０から、母線特性を算出する下記の式（２）から、配電系統の対地静電容量の合計容量ＣＡ＋ΣＣｉを算出する。母線特性特定部３０は、配電系統Ｆ１〜Ｆ３の対地静電容量Ｃｉの合計容量ΣＣｉが算出されることにより、母線特性を算出する。
【数４】
2014011923.tif 000006
【００２３】
整定値算出部３１は、母線特性特定部３０が算出した母線特性に基づき、所望の接地抵抗地Ｒのときの零相電圧Ｖ０を地絡過電圧継電器５の整定値として算出する。その整定値は、出力部１２を介して、地絡過電圧継電器５に送信される。なお、地絡過電圧継電器６の整定値は、地絡過電圧継電器５の整定値を基に整定されているため、地絡過電圧継電器５の整定値が決まることにより一意的に算出される。
【００２４】
出力部１２は、デジタル信号を出力するインターフェースであるＤ／Ｏ（デジタル出力端子）である。
【００２５】
表示制御部１６は、表示装置９を表示するための制御回路であり、元の（算出前の）母線特性を表示するとともに、算出された母線特性を表示装置９に表示する。よって、表示装置９によって、算出された接地抵抗値Ｒ０が元の（算出前の）母線特性による接地抵抗値Ｒ０と比較できるようになっている。また、表示制御部１６は、地絡過電圧継電器５，６の整定値及び接地抵抗値Ｒ０も表示装置９に表示する。
【００２６】
次に、同実施形態における配電システムが母線地絡を検出して、地絡過電圧継電器５，６の整定値を算出して、整定するに至る一連の過程について、図１〜図６を参酌しつつ説明する。なお、本実施形態では、図１に示す母線上のａ点で地絡が発生したと仮定して以下の説明を行う。なお、図１のＶ０は、母線系統Ｂにおける地絡事故時の零相電圧を電源として仮想的に図示したものであり、Ｒ０は、母線系統Ｂにおける地絡事故時の地絡抵抗値を図示したものである。そして、この仮想上の地絡回路を流れる零相電流をＩ0として図示する。
【００２７】
地絡保護システム１は、図３に示すように、接地用変圧器４で検出された母線系統Ｂの電源電圧Ｅ０を入力部１０により読み込む（Ｓ１）。読み込んだ電源電圧Ｅ０は、ＲＡＭ１４に記憶する（Ｓ２）。そして、ＲＡＭ１４に７０サイクル分の電源電圧Ｅ０が記憶されるまで繰り返し読み込み（Ｓ３でＮＯ）、電源電圧Ｅ０が７０サイクル分に達したとき（Ｓ３でＹＥＳ）から、地絡過電圧の検出を開始する（Ｓ４）。
【００２８】
地絡が母線系統Ｂのａ点で発生して、地絡過電圧継電器５，６が動作して、地絡過電圧を１秒以上検出する（Ｓ４でＹＥＳ）と、母線系統Ｂの電源電圧Ｅ０を７０サイクル前の値に固定する（Ｓ５）。そして、母線系統Ｂの零相電圧Ｖ０を接地用変圧器４で検出し、入力部１０により読み込む。また、複数ある配電系統Ｆ１〜Ｆ３の各零相電流Ｉ01〜Ｉ03を零相変流器２，…で検出し、入力部１０により読み込む（Ｓ６）。これらの検出値は、ＲＡＭ１４に記憶される。なお、地絡過電圧が１秒以上検出されなければ、引き続き電源電圧Ｅ０を読み込みを繰り返す（Ｓ４でＮＯ、Ｓ１に戻る）。
【００２９】
地絡保護システム１は、図４に示すように、ＲＡＭ１４に記憶された配電系統Ｆ１〜Ｆ３の各零相電流Ｉ01〜Ｉ03の位相に基づき、地絡が母線系統Ｂで発生しているのか、配電系統Ｆ１〜Ｆ３で発生しているのかを判定する（Ｓ７）。
【００３０】
各零相電流Ｉ01〜Ｉ03の位相がすべて同相であるとき（Ｓ７でＹＥＳ）、地絡保護システム１が母線系統Ｂで発生していると判定する。整定値算出装置８は、母線系統Ｂの接地抵抗値Ｒ０を算出し、表示装置９に表示する（Ｓ８）。整定値算出装置８は、算出された接地抵抗値Ｒ０に基づき配電系統Ｆ１〜Ｆ３の静電容量Ｃ１〜Ｃ３を算出し、母線特性を算出し、表示装置９に出力する（Ｓ９）。
【００３１】
このときの母線特性を図示すると、図５及び図６のようになる。図にある青相、白相
、赤相は、母線系統Ｂを流れる３相交流のそれぞれの相を識別可能に表現したものである。変更前の実際の母線特性は、各相が完全に平衡していないため、青相−白相−赤相で一致せず、ずれている。しかし、許容可能な範囲であるため、母線特性は、接地抵抗値Ｒ０及び零相電圧Ｖ０に所定の幅を有する２次関数で示される（斜線で示す）領域とみなす。
【００３２】
整定値算出装置８は、この変更前の母線特性と変更後の母線特性とから変更前の整定値における接地抵抗値Ｒ０を比較する（Ｓ１０）。
【００３３】
配電系統Ｆ１〜Ｆ３が短くなり、対地静電容量の合計容量ΣＣｉが小さくなったとき、母線特性は、図５に示すようになる。地絡過電圧継電器５には、変更前の母線特性により、接地抵抗値Ｒ０が６ｋΩのときの零相電圧Ｖ０が整定値Ｖ０ａとして整定されている。しかし、変更前の母線特性による整定値のままでは、本来の母線特性（変更後の母線特性）から接地抵抗値Ｒ０が１０ｋΩで地絡過電圧継電器５が動作することになる。具体的には、変更前の母線特性による接地抵抗値Ｒ０は６ｋΩ〜８ｋΩであり、変更前の母線特性による接地抵抗値Ｒ０は１０ｋΩである。よって、整定値算出装置８は、変更後の母線特性による接地抵抗地Ｒが変更前の母線特性による接地抵抗値Ｒ０の範囲を超えて大きくなっていると判定する（Ｓ１０で「大きい場合」を選択する）。
【００３４】
配電系統Ｆ１〜Ｆ３が長くなり、対地静電容量の合計容量ΣＣｉが大きくなったとき、母線特性は、図６に示すようになる。変更前の母線特性による整定値のままでは、本来の母線特性（変更後の母線特性）から接地抵抗値Ｒ０が３ｋΩで地絡過電圧継電器５が動作することになる。具体的には、変更前の母線特性による接地抵抗値Ｒ０は６ｋΩ〜８ｋΩであり、変更前の母線特性による接地抵抗値Ｒ０は３ｋΩである。よって、整定値算出装置８は、変更後の母線特性による接地抵抗地Ｒが変更前の母線特性による接地抵抗値Ｒ０の範囲を超えて小さくなっていると判定する（Ｓ１０で「小さい場合」を選択する）。
【００３５】
整定値算出装置８が変更後の母線特性による接地抵抗地Ｒが変更前の母線特性による接地抵抗値Ｒ０の範囲を超えて大きくなる、若しくは小さくなっていると判定すると、予め決められた接地抵抗値Ｒ０となる零相電圧Ｖ０を変更後の母線特性に基づき算出し、地絡過電圧継電器５の整定値に整定し直す（Ｓ１１）。つまり、地絡過電圧継電器５の整定値は、変更後の母線特性に基づき、接地抵抗値Ｒ０が６ｋΩのときの零相電圧Ｖ０を変更後の整定値Ｖ０ｂとして算出する。なお、整定値算出装置８が変更後の母線特性による接地抵抗地Ｒが変更前の母線特性による接地抵抗値Ｒ０の範囲内にあると判定すると、整定値を整定し直さずに、地絡順序遮断器７により地絡箇所を母線系統Ｂから切り離す（Ｓ１０で「同じ場合」を選択し、Ｓ１３へ）。
【００３６】
地絡過電圧継電器５の整定値が整定された後、再び、地絡過電圧が検出されれば（Ｓ１２でＹＥＳ）、地絡保護システム１は、地絡順序遮断器７により各配電系統Ｆ１〜Ｆ３ごとに設けられている遮断器ＣＢ，…を順次遮断して、地絡箇所を母線系統Ｂから切り離す（Ｓ１３）。
【００３７】
各零相電流Ｉ01〜Ｉ03の位相がすべて同相でないとき（Ｓ７でＮＯ）、地絡保護システム１は、配電系統Ｆ１〜Ｆ３で発生していると判定する。そして、地絡保護システム１は、地絡方向継電器３の誤不動作と判定し（Ｓ１４）、地絡順序遮断器７により遮断器ＣＢ，…を順次遮断して、地絡箇所を母線系統Ｂから切り離す（Ｓ１５）。
【００３８】
このようにして、母線系統Ｂにおける母線特性の変化に応じて、母線系統Ｂ及び複数の配電系統Ｆ１〜Ｆ３から求められる各種パラメータに基づいて整定値が算出されるため、人工地絡試験を行うことなく、地絡過電圧継電器５，６の整定値を整定し直すことができる。また、各種パラメータに基づいて整定値が一意的に算出され、地絡過電圧継電器５，６の整定値を簡易に整定できる。
【００３９】
なお、本発明は、上記実施形態に限定されず、本発明の要旨を逸脱しない範囲で様々な変更が可能である。
【００４０】
例えば、上記実施形態に係る地絡過電圧継電器５の整定値算出装置８は、整定値の算出も自動で行う例を説明したが、これに限定されるものではない。例えば、整定値算出手段は、表示装置９に表示される、変更前の母線特性と変更後の母線特性とに基づいて、保守作業員に地絡過電圧継電器５，６に望まれる整定値を判断させ、整定パネルから整定値を設定するよう構成されていてもよい。
【００４１】
また、上記実施形態に係る地絡過電圧継電器５は、整定値算出装置８により算出される例を説明したが、これに限定されるものではない。例えば、コンピュータを、パラメータを入力する入力部、該入力されたパラメータによって整定値を算出する整定値算出部、及び、該整定値算出部により算出された整定値を出力する出力部として機能させるプログラムであって、該プログラムをコンピュータにインストールすることにより、地絡過電圧継電器の整定値を算出するようにしてもよい。
【符号の説明】
【００４２】
１…地絡保護システム、２…零相変流器（ＺＣＴ）、３…地絡方向継電器（ＤＧ）、４…接地用変圧器（ＧＰＴ）、５，６…地絡過電圧継電器（６４Ｖ１，６４Ｖ２）、７…地絡順序遮断器（１０Ｇ）、８…整定値算出装置、９…表示装置、１０…入力部、１１…ＭＰＵ（プロセッサ）、１２…出力部、１３…ＲＯＭ、１４…ＲＡＭ、１５…バッファ、１６…表示制御部、１７…整定値パネル、１８…バス（伝送路）、２０…入力変換器、２１…バンドパスフィルタ（ＢＰＦ）、２２…サンプリングホールド回路（Ｓ／Ｈ）、２３…マルチプレクサ回路（信号切換回路；ＭＰＸ）、２４…Ａ／Ｄ変換器、３０…母線特性特定部、３１…整定値算出部、Ｆ１，Ｆ２，Ｆ３…配電系統、Ｂ…母線系統、ＣＢ…遮断器、Ｃ１，Ｃ２，Ｃ３…対地静電容量、ＣＡ…サージアブソーバ、Ｉ01〜Ｉ03…零相電流、Ｖ０…地絡事故時の零相電圧、Ｅ０…母線系統の電源電圧、Ｖ０ａ，Ｖ０ｂ…整定値
【図１】
2014011923.tif 000009
【図２】
2014011923.tif 000010
【図３】
2014011923.tif 000011
【図４】
2014011923.tif 000012
【図５】
2014011923.tif 000013
【図６】
2014011923.tif 000014